(57)【要約】  空気調和機システムは、駆動アクチュエータを有し、部屋内の一部の箇所の温度情報を取得可能な赤外線センサと、部屋の複数箇所の温度情報を取得するように赤外線センサの駆動アクチュエータを制御する駆動制御部とを有する空気調和機と、空気調和機とネットワークを介して接続された遠隔操作集中管理装置とを具備し、空気調和機又は遠隔操作集中管理装置は、駆動制御部により制御された赤外線センサにより取得された部屋の複数箇所の温度情報を記憶する記憶部と、記憶部に記憶された部屋の複数箇所の温度情報に基づいて、部屋の熱画像を生成する熱画像生成部とを有する。
2021038663.tif 000002
【特許請求の範囲】
【請求項１】
駆動アクチュエータを有し、部屋内の一部の箇所の温度情報を取得可能な赤外線センサと、前記部屋の複数箇所の温度情報を取得するように前記赤外線センサの駆動アクチュエータを制御する駆動制御部とを有する空気調和機と、
前記空気調和機とネットワークを介して接続された遠隔操作集中管理装置と
を具備し、
前記空気調和機又は前記遠隔操作集中管理装置は、
前記駆動制御部により制御された赤外線センサにより取得された前記部屋の複数箇所の温度情報を記憶する記憶部と、
前記記憶部に記憶された前記部屋の複数箇所の温度情報に基づいて、前記部屋の熱画像を生成する熱画像生成部と
を有する、
空気調和機システム。
【請求項２】
前記空気調和機が、前記熱画像生成部を有し、
前記空気調和機は、前記熱画像生成部により生成された熱画像を前記遠隔操作集中管理装置にネットワークを介して送信する送信部を有する、
請求項１に記載の空気調和機システム。
【請求項３】
前記遠隔操作集中管理装置が、前記熱画像生成部を有し、
前記遠隔操作集中管理装置は、前記熱画像生成部により生成された熱画像を前記空気調和機を操作するための操作端末に送信する送信部を有する、
請求項１に記載の空気調和機システム。
【請求項４】
前記記憶部が、前記熱画像生成部により生成した熱画像の熱画像生成時の時刻情報を記憶し、
前記遠隔操作集中管理装置の送信部は、前記記憶部に記憶された熱画像生成時の時刻情報又は前記部屋の複数箇所の温度情報のうち、最後に取得された時刻情報を前記熱画像とともに送信する、
請求項１に記載の空気調和機システム。
【請求項５】
前記空気調和機は、
前記記憶部が、前記熱画像生成部により生成された熱画像を前記遠隔操作集中管理装置に送信可能か否かを示す熱画像送信可否情報を記憶し、
前記空気調和機の前記送信部は、前記記憶部に記憶された熱画像送信可否情報が熱画像を前記遠隔操作集中管理装置に送信可能であることを示している場合にのみ、前記熱画像生成部により生成された熱画像を前記遠隔操作集中管理装置に送信する、
請求項２に記載の空気調和機システム。
【請求項６】
前記空気調和機を操作するための操作端末をさらに具備し、
前記操作端末は、前記遠隔操作集中管理装置の送信部から送信された熱画像と、前記部屋の可視画像又は前記熱画像と異なる画像とを重ね合わせて表示する、
請求項１〜５のいずれか１項に記載の空気調和機システム。
【請求項７】
前記空気調和機は、前記可視画像を前記操作端末で取得するときに、前記操作端末の位置を示す表示又は前記操作端末を固定する構造物をさらに具備する、
請求項６に記載の空気調和機システム。
【請求項８】
前記記憶部は、前記部屋内の固定位置の熱画像又は前記部屋全体の熱画像を生成するかを示す取得モードを記憶し、
前記熱画像生成部は、
前記記憶部に記憶されたモードが前記部屋内の固定位置の熱画像を生成することを示している場合、前記記憶部に記憶された前記部屋内の固定位置での温度情報に基づいて、前記部屋内の固定位置での熱画像を生成し、前記記憶部に記憶されたモードが前記部屋全体の熱画像を生成することを示している場合、前記記憶部に記憶された前記部屋全体の温度情報に基づいて、前記部屋全体の熱画像を生成する、
請求項１に記載の空気調和機システム。
【発明の詳細な説明】
【技術分野】
【０００１】
本発明は、操作端末に熱画像を表示させることができる空気調和機システムに関する。
【背景技術】
【０００２】
赤外線センサなどにより測定対象箇所の非接触温度計測を行なうことにより温度情報を求め、この求められた温度情報を、ネットワークを介して画像表示装置に送信する空気調和機が知られている。画像表示装置は、空気調和機から送られた温度情報に基づいて、熱画像を表示する。
【先行技術文献】
【特許文献】
【０００３】
【特許文献１】特開２０１６−６５８４８号公報
【発明の概要】
【発明が解決しようとする課題】
【０００４】
しかしながら、空気調和機に搭載された赤外線センサにより部屋全体の広角な熱画像を表示しようとすると、赤外線センサを数１０万画素レベルまで高画素化させる必要があり、かつセンサの素子数を多数配置する必要がある。
その結果、センサが大型化し空気調和機の筐体サイズが大型化したり、赤外線センサのコストが大幅に増加したりする。そのため、空気調和機で一般的に用いられている数１０〜数１００画素レベルの赤外線センサでは、部屋全体の熱画像をユーザーに表示できないという問題があった。【０００５】
本発明は、上記実情に鑑みてなされたものであり、温度情報を取得する画素数が少ない赤外線センサを用いても、部屋全体の熱画像を、ネットワークを介して操作端末に表示することができる空気調和機システムを提供することを目的とする。
【課題を解決するための手段】
【０００６】
本発明に係る空気調和機システムによれば、駆動アクチュエータを有し、部屋内の一部の箇所の温度情報を取得可能な赤外線センサと、前記部屋の複数箇所の温度情報を取得するように前記赤外線センサの駆動アクチュエータを制御する駆動制御部とを有する空気調和機と、前記空気調和機とネットワークを介して接続された遠隔操作集中管理装置とを具備し、前記空気調和機又は前記遠隔操作集中管理装置は、前記駆動制御部により制御された赤外線センサにより取得された前記部屋の複数箇所の温度情報を記憶する記憶部と、前記記憶部に記憶された前記部屋の複数箇所の温度情報に基づいて、前記部屋の熱画像を生成する熱画像生成部とを有する。
【発明の効果】
【０００７】
本発明に係る空気調和機システムによれば、熱画像生成部により記憶部に記憶された部屋の複数箇所の温度情報に基づいて、複数箇所の熱画像を生成し、送信する。これにより、画素数が少ない赤外線センサであっても、部屋全体の熱画像を操作端末に表示することができる。【０００８】
また、本発明によれば、画素数が少ない赤外線センサで取得した温度情報を複数組み合わせることで広角範囲の熱画像を作成することができる。これにより、赤外線センサの高画素化による空気調和機筐体の大型化及び高価な赤外線センサの導入を抑制することができる。
【図面の簡単な説明】
【０００９】
【図１】実施の形態１に係る空気調和機システムを示す図である。
【図２】実施の形態１に係る空気調和機システムの空気調和機の制御部の機能ブロック図である。
【図３】実施の形態１に係る空気調和機システムにおける遠隔操作集中管理装置の制御部の機能ブロック図である。
【図４】実施の形態１に係る空気調和機システムの動作を示すフローチャートである。
【図５】実施の形態１に係る空気調和機システムにおける空気調和機の赤外線センサの部屋における配光範囲を示す図である。
【図６】実施の形態１に係る空気調和機システムにおける操作端末の動作を説明するためのフローチャートである。
【図７】実施の形態１に係る空気調和機システムにおける操作端末に表示される熱画像を示す図である。
【図８】実施の形態２に係る空気調和機システムの動作を説明するためのフローチャートである。
【図９】実施の形態３に係る空気調和機システムの空気調和機の制御部の機能ブロック図である。
【図１０】実施の形態３に係る空気調和機システムの動作を示すフローチャートである。
【図１１】実施の形態３に係る空気調和機システムの操作端末に表示される時刻情報及び熱画像の一例を示す図である。
【図１２】実施の形態３に係る空気調和機システムの遠隔操作集中管理装置の制御部２３の変形例を示す機能ブロック図である。
【図１３】実施の形態４に係る空気調和機システムの動作を示すフローチャートである。
【図１４】実施の形態５に係る空気調和機システムの操作端末の動作を示すフローチャートである。
【図１５】実施の形態５に係る空気調和機システムの操作端末に表示される画像を示す図である。
【図１６】実施の形態６に係る空気調和機システムの動作を示すフローチャートである。
【図１７】実施の形態６に係る空気調和機システムの赤外線センサの固定位置での配光を説明する図である。
【発明を実施するための形態】
【００１０】
以下、図面を参照して、実施の形態に係る空気調和機システムについて説明する。なお、図面において、同一の構成要素には同一符号を付して説明し、重複説明は必要な場合にのみ行なう。
【００１１】
実施の形態１．
図１は、実施の形態１に係る空気調和機システムを示す図である。
図１に示すように、空気調和機１は、例えば居宅の部屋７に設置される。空気調和機１は、空気調和機１に付属されたリモートコントローラ５からのリモコン情報により動作する。
【００１２】
空気調和機１には、赤外線センサ２が取り付けられている。赤外線センサ２は、部屋７において赤外線の配光を行なう。赤外線センサ２は、温度情報を取得する素子が縦横に複数個配列されている。例えば、縦に６０個、横に１０個で合計６００個の素子が配置されている。
【００１３】
赤外線センサ２は、部屋７全体範囲の温度情報を取得することはできないが、一定の範囲を一度に取得することができる。また、赤外線センサ２は駆動アクチュエータ２ａ（後述する図２参照）を有し、駆動アクチュエータ２ａにより駆動されることが可能である。例えば、赤外線センサ２が左右に回転駆動させられることにより、赤外線センサ２の配光が左右に変化させられる。これにより、部屋７の複数個所の温度情報を取得することができる。さらに、空気調和機１の表正面には表示部４が配置されており、空気調和機１の動作内容に応じた表示がなされる。表示部４は、熱画像が送信可能状態となっていることを表示するランプを含む。
【００１４】
また、この空気調和機１には、リモコン情報と異なる遠隔情報を送受信するアダプタ３が取り付けられている。部屋７には、空気調和機１の他にルータ６が設置されている。このルータ６は、外部ネットワーク１１を介して、送受信した情報をアダプタ３に送受信する。アダプタ３は、図１では空気調和機１の外側に設けられているが、空気調和機１に内蔵する構成でも良い。
【００１５】
インターネット網１０は、外部ネットワーク１１上に接続されている。インターネット網１０にはサーバ等の遠隔操作集中管理装置８が接続されている。操作端末９は、空気調和機１に対して操作指示を行なう。部屋７の外において、例えば操作端末９を用いて、空気調和機１に対する操作指示がなされると、この操作指示は、インターネット網１０を介して、一旦、遠隔操作集中管理装置８に送信される。
【００１６】
その後、遠隔操作集中管理装置８とアダプタ３とは、インターネット網１０、外部ネットワーク１１及びルータ６を介して遠隔情報の送受信を行なう。つまり、操作端末９からの操作指示は、インターネット網１０、外部ネットワーク１１及びルータ６を介して遠隔操作集中管理装置８から空気調和機１に送られる。
【００１７】
図２は、実施の形態１に係る空気調和機システムの空気調和機１の制御部１２の機能ブロック図である。
【００１８】
空気調和機１は制御部１２を有する。制御部１２は、入力部１３、空調機室内制御部１４、空調機記憶部１５、出力部１６及び遠隔情報入出力部１７を有する。
【００１９】
入力部１３は、ユーザーがリモートコントローラ５で設定した運転情報及び赤外線センサ２からの温度情報の信号等を入力情報として処理する。
【００２０】
空調機室内制御部１４は、入力部１３により入力された入力情報を空調機記憶部１５に記憶する。また、空調機室内制御部１４は、遠隔情報入出力部１７から入力される遠隔情報を空調機記憶部１５に記憶するとともに、外部ネットワーク１１に出力される遠隔情報を遠隔情報入出力部１７に出力する。
【００２１】
空調機室内制御部１４は、空調機記憶部１５に記憶された予め設定された設定情報、入力部１３から入力された入力情報及び遠隔情報入出力部１７から入力された遠隔情報等に基づいて、演算判断処理を行なう。演算判断処理の結果は、出力情報として、空調機記憶部１５に記憶されるとともに、出力部１６に出力される。
【００２２】
空調機室内制御部１４は、駆動制御部１４−１及び熱画像生成部１４−２を有する。
駆動制御部１４−１は、部屋７の複数箇所の温度情報を取得するように赤外線センサ２の駆動アクチュエータ２ａを制御する。熱画像生成部１４−２は、空調機記憶部１５に記憶された部屋７の複数箇所の温度情報に基づいて、複数箇所の熱画像を生成する。出力部１６は、空調機室内制御部１４から出力情報に基づいて、表示部４の点灯又は消灯、及び赤外線センサ２の駆動アクチュエータ２ａの制御を行なう。
【００２３】
遠隔情報入出力部１７は、遠隔操作集中管理装置８からの遠隔情報を受信したアダプタ３から、遠隔情報が入力され、空調機室内制御部１４に出力する。また、遠隔情報入出力部１７は、空調機室内制御部１４での演算結果及び判断結果である出力情報を受信する。そして、この受信した出力情報を、アダプタ３に出力する。アダプタ３に出力された出力情報は、ルータ６、外部ネットワーク１１を介して遠隔操作集中管理装置８に送信される。
【００２４】
制御部１２は、専用のハードウェア、又はメモリに格納されるプログラムを実行するＣＰＵ（Ｃｅｎｔｒａｌ Ｐｒｏｃｅｓｓｉｎｇ Ｕｎｉｔ、中央処理装置、処理装置、演算装置、マイクロプロセッサ、マイクロコンピュータ、プロセッサともいう）で構成される。
【００２５】
制御部１２が専用のハードウェアである場合、制御部１２は、例えば、単一回路、複合回路、ＡＳＩＣ（Ａｐｐｌｉｃａｔｉｏｎ  Ｓｐｅｃｉｆｉｃ Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ ａｒｒａｙ）、又はこれらを組み合わせたものが該当する。制御部１２が実現する各機能部のそれぞれを、個別のハードウェアで実現してもよいし、各機能部を一つのハードウェアで実現してもよい。
【００２６】
制御部１２がＣＰＵの場合、制御部１２が実行する各機能は、ソフトウェア、ファームウェア、又はソフトウェアとファームウェアとの組み合わせにより実現される。ソフトウェア及びファームウェアはプログラムとして記述され、メモリに格納される。ＣＰＵは、メモリに格納されたプログラムを読み出して実行することにより、制御部１２の各機能を実現する。ここで、メモリは、例えば、ＲＡＭ、ＲＯＭ、フラッシュメモリ、ＥＰＲＯＭ、ＥＥＰＲＯＭ等の、不揮発性又は揮発性の半導体メモリである。
【００２７】
なお、制御部１２の機能の一部を専用のハードウェアで実現し、一部をソフトウェア又はファームウェアで実現するようにしてもよい。
【００２８】
図３は、実施の形態１に係る空気調和機システムにおける遠隔操作集中管理装置８の制御部２３の機能ブロック図である。遠隔操作集中管理装置８は、制御部２３を有する。遠隔操作集中管理装置８の制御部２３は、空調機遠隔情報入出力部１９、遠隔情報制御部２０、遠隔操作記憶部２１及び操作端末情報入出力部２２を有する。
【００２９】
空調機遠隔情報入出力部１９は、空気調和機１からの遠隔情報を入力情報として処理し、遠隔情報制御部２０に出力する。また、空調機遠隔情報入出力部１９は、操作端末９の操作情報を空調機遠隔情報入出力部１９の出力情報として処理し、空気調和機１に情報を送信する。
【００３０】
遠隔情報制御部２０は、空調機遠隔情報入出力部１９により入力された入力情報を遠隔操作記憶部２１に記憶する。また、遠隔情報制御部２０は、遠隔操作記憶部２１に記憶された入力情報、予め設定された設定情報及びプログラム等に基づいて演算判断処理を行なう。演算判断処理の結果は、出力情報として、遠隔操作記憶部２１に記憶される。また、遠隔情報制御部２０は、演算判断処理の結果を、操作端末情報入出力部２２に出力する。
【００３１】
操作端末情報入出力部２２は、操作端末９からの操作情報及び表示内容情報の要求等を受信し、入力情報として、遠隔情報制御部２０に出力する。操作端末情報入出力部２２は、遠隔情報制御部２０からの表示情報の要求を出力情報として処理する。また、操作端末情報入出力部２２は、操作端末９に情報を送信する。送信された情報は、操作端末９の画面に表示される。
【００３２】
実施の形態１において、空調機記憶部１５は記憶部とも称し、遠隔情報入出力部１７は送信部とも称する。
【００３３】
次に、実施の形態１に係る空気調和機システムの動作について説明する。図４は、実施の形態１に係る空気調和機システムの動作を示すフローチャートである。また、図５は、実施の形態１に係る空気調和機システムにおける空気調和機１の赤外線センサ２の部屋７における配光範囲２６を示す図である。図５において、斜線範囲は赤外線センサ２の温度情報が取得できる配光範囲２６を示している。また、白矢印は、赤外線センサ２を開始位置から１回目の駆動をした時の移動方向を示し、黒矢印は、赤外線センサ２の駆動方向を示す。
【００３４】
図４に示すように、操作端末９に熱画像を表示する場合、まず、空調機室内制御部１４が、赤外線センサ２を初期位置に駆動し、赤外線センサ２の配光を初期位置に向ける（Ｓ１）。図５（Ａ）は、赤外線センサ２の配光を初期位置に向けた状態を示す図である。初期位置は、例えば、部屋７の最も左側の温度情報を計測できる配光まで回転駆動させる。最も左側の位置とは赤外線センサ２の配光が空気調和機１自身にかからない範囲の最大値の位置である。この位置への赤外線センサ２の駆動量は、あらかじめ空調機記憶部１５に記憶される。そして、この記憶された駆動量に基づいて、赤外線センサ２を回転駆動される。
【００３５】
次に、空調機室内制御部１４は、赤外線センサ２から温度情報を取得し（Ｓ２）、取得した温度情報を空調機記憶部１５に記憶する。次に、空調機室内制御部１４は、部屋７全体の温度情報を取得したか否かを判断する（Ｓ３）。
【００３６】
ステップＳ３において、部屋全体の温度情報を取得したかどうかは、例えば、図５（Ｃ）に示したように、初期位置を最も左側から回転駆動を開始した場合、部屋７の最も右側の温度情報を計測できる配光まで回転駆動している状態か判断する。初期位置と同様に、最も右側とは、赤外線センサ２の配光が空気調和機１自身にかからない範囲の最大値として、あらかじめ遠隔操作記憶部２１に駆動量または駆動回数を記憶させておきその位置に達したか否かにより判断する。
【００３７】
ステップＳ３において、空調機室内制御部１４が部屋７全体の温度情報を取得していないと判断した場合（Ｓ３のＮＯ）、空調機室内制御部１４は、赤外線センサ２を一定量回転駆動させる（Ｓ４）。ここで、回転駆動量は、例えば、図５（Ｂ１）に示すように、赤外線センサ２の配光が前回取得した範囲の配光とすくなくとも隙間が無いように回転駆動させる。１回の回転駆動量はあらかじめ空調機記憶部１５に記憶しておく。駆動後はステップＳ２に進み、再び、空調機室内制御部１４は、ステップＳ２において温度情報を取得して、遠隔操作記憶部２１に取得した温度情報を記憶する。
【００３８】
以降、ステップＳ３で部屋７全体の温度情報が取得できるまで、図５（Ｂ２）のように左から右へ赤外線センサ２を回転駆動させながら、温度情報の取得と遠隔操作記憶部２１への記憶を繰り返す。
【００３９】
一方、空調機室内制御部１４がステップＳ３で部屋７全体の温度情報を取得できたと判断した場合（Ｓ３のＹＥＳ）、空調機室内制御部１４は遠隔操作記憶部２１に今まで記憶された複数箇所の温度情報を組み合わせて１枚の熱画像を作成する（Ｓ５）。
【００４０】
空調機室内制御部１４は、ステップＳ５において作成された熱画像をアダプタ３からルータ６及びインターネット網１０を介して遠隔操作集中管理装置８に送信する（Ｓ６）。この空調機室内制御部１４により送信された熱画像は、遠隔操作記憶部２１に記憶される。
【００４１】
以降、空調機室内制御部１４は、再びＳ１から赤外線センサ２を初期位置に駆動させ再度温度の取得を行う。実施の形態１では、空調機室内制御部１４は、ステップＳ６で熱画像を送信後に、ステップＳ１でセンサを初期位置に戻している。
【００４２】
実施の形態１では、空調機室内制御部１４は、図５（Ａ）に示す左端から図５（Ｃ）に示す右端に赤外線センサ２を回転駆動したあと、赤外線センサ２を再び左端に戻しているがこれに限定されない。空調機室内制御部１４は、赤外線センサ２が右端に到達して熱画像を送信後に、赤外線センサ２を右端から左端に向けて一定量ずつ回転駆動させて温度情報を取得してもよい。
【００４３】
図６は、実施の形態１に係る空気調和機システムにおける操作端末９の動作を説明するためのフローチャートである。
操作端末９は、熱画像の取得操作があった場合、インターネット網１０を介して、遠隔操作記憶部２１に記憶されている熱画像を取得する（Ｓ１００）。
【００４４】
操作端末９は、ステップＳ１００において送信された熱画像を受信し、受信した熱画像を表示する（Ｓ１０１）。図７は、実施の形態１に係る空気調和機システムにおける操作端末９に表示される熱画像を示す図である。
【００４５】
なお、遠隔操作集中管理装置８は、空気調和機１から送信された熱画像を複数毎、遠隔操作記憶部２１に記憶しておき、ユーザーが操作端末９から熱画像取得操作があった場合に選択できるようにしてもよい。
【００４６】
従って、実施の形態１に係る空気調和機システムによれば、温度情報を取得する画素数が少ない赤外線センサ２で取得した温度情報を複数組み合わせることで広角範囲の熱画像を作成することができる。これにより、赤外線センサ２を高画素化しなくても広角範囲の熱画像を取得することができるので、空気調和機１筐体の大型化及び高価な赤外線センサ２の導入を抑制することができる。
【００４７】
実施の形態２．
以上の実施の形態１では、取得した温度情報から空気調和機１で熱画像を作成している。実施の形態２では、遠隔操作集中管理装置８で熱画像を作成する場合について説明する。具体的には、実施の形態２では、遠隔操作集中管理装置８の遠隔情報制御部２０が、空調機室内制御部１４の熱画像生成部１４−２の機能を有する。
【００４８】
図８は、実施の形態２に係る空気調和機システムの動作を説明するためのフローチャートである。ここでは、実施の形態１と共通する箇所については同一の符号を付して説明を省略し、実施の形態１との相違点を中心に説明する。
【００４９】
実施の形態２では、操作端末９に熱画像を表示する場合、まず、空気調和機１の空調機室内制御部１４が、赤外線センサ２を初期位置に駆動し、赤外線センサ２の配光を初期位置に向ける（Ｓ１）。
【００５０】
次に、空調機室内制御部１４は、赤外線センサ２から温度情報を取得する（Ｓ２）。空調機室内制御部１４は、取得した温度情報を空調機記憶部１５に記憶する。次に、空調機室内制御部１４は、部屋７全体の温度情報を取得したか否かを判断する（Ｓ３）。
【００５１】
ステップＳ３において、空調機室内制御部１４が部屋７全体の温度情報を取得していないと判断された場合（Ｓ３のＮＯ）、空調機室内制御部１４は、ステップＳ２で取得した温度情報をアダプタ３からルータ６及びインターネット網１０を介して遠隔操作集中管理装置８に送信する（Ｓ６０１）。遠隔操作集中管理装置８の遠隔情報制御部２０は、送信された温度情報を受信し、受信した温度情報を遠隔操作記憶部２１に記憶する。
【００５２】
以降は実施の形態１と同様に、部屋７全体の温度情報が取得できるまで、赤外線センサ２を一定量駆動し（Ｓ４）、温度情報の取得と遠隔操作集中管理装置８への温度情報の送信を繰り返す。
【００５３】
ステップＳ３において、空調機室内制御部１４が部屋７全体の温度情報の取得が完了したと判断した場合（Ｓ３のＹＥＳ）、空調機室内制御部１４は、温度情報を部屋７全体の温度情報の取得が完了したことを示す取得完了フラグと合わせて遠隔操作集中管理装置８に送信する（Ｓ６０２）。取得完了フラグを送信することで、遠隔操作集中管理装置８は部屋７全体の温度情報全てが送信されたことを把握できる。
【００５４】
遠隔操作集中管理装置８の遠隔情報制御部２０は、遠隔操作記憶部２１に記憶されている温度情報に基づいて熱画像を作成し、操作端末９に送信する（Ｓ６０３）。そして、新たな熱画像を生成する場合、ステップＳ１に戻る。
【００５５】
従って、実施の形態２に係る空気調和機システムによれば、遠隔操作集中管理装置８により、熱画像を作成する処理を行なうので、空気調和機１での複雑な画像処理を行なわない。そのため、実施の形態１の空気調和機システムの効果に加えて、空気調和機１の記憶領域を抑制できる。
【００５６】
実施の形態３．
実施の形態１では、操作端末９に熱画像をそのまま表示するようにしたものであるが、複数回の温度情報を取得するため１枚の熱画像を作成するまでに長時間を必要とする場合がある。実施の形態３は、ユーザーが熱画像の作成された時刻を把握できるものである。実施の形態１と共通する箇所については同一の符号を付して説明を省略し、実施の形態１との相違点を中心に説明する。
【００５７】
図９は、実施の形態３に係る空気調和機システムの空気調和機１の制御部１２の機能ブロック図である。
実施の形態３では、制御部１２は、時刻判定部２４を有する。時刻判定部２４は、熱画像生成部１４−２により生成された熱画像の熱画像生成時の時刻を示す時刻情報を判定する。空調機室内制御部１４は、時刻判定部２４により判定された時刻情報を空調機記憶部１５に記憶する。
空調機記憶部１５は、温度情報等に加えて、生成された熱画像及び判定された時刻情報を記憶する。遠隔情報入出力部１７は、これら熱画像及び時刻情報を遠隔操作集中管理装置８に送信する。送信された熱画像及び時刻情報は、遠隔操作集中管理装置８から操作端末９に送信され、表示される。
【００５８】
図１０は、実施の形態３に係る空気調和機システムの動作を示すフローチャートである。ステップＳ１〜ステップＳ５の処理は、実施の形態１の図４に示したフローチャートと同様である。ステップＳ５において熱画像を作成した後、熱画像生成部１４−２は、時刻判定部２４により判定された熱画像生成時の時刻情報を空調機記憶部１５に記憶する（Ｓ７０１）。その後、遠隔情報入出力部１７により、熱画像と時刻情報とを遠隔操作集中管理装置８に送信する（Ｓ７０２）。
【００５９】
以降、操作端末９から熱画像の取得操作があった場合、ステップＳ７０２で遠隔操作集中管理装置８に送信された熱画像及び時刻情報が操作端末９に表示される。図１１は、実施の形態３に係る空気調和機システムの操作端末９に表示される時刻情報及び熱画像の一例を示す図である。
【００６０】
実施の形態３では熱画像が作成された時刻の判定を空気調和機１で実施したが、実施の形態２のように温度情報を都度、空気調和機１から遠隔操作集中管理装置８に送信し、遠隔操作集中管理装置８で熱画像及び時刻情報を作成しても良い。
【００６１】
図１２は、実施の形態３に係る空気調和機システムの遠隔操作集中管理装置８の制御部２３の変形例を示す機能ブロック図である。なお、図３と同一部分には同一符号を付し、ここでは異なる部分について述べる。
【００６２】
図１２に示すように、遠隔操作集中管理装置８に時刻判定部２５を設ける。遠隔情報制御部２０は、時刻判定部２５により判定された空気調和機１から最後の温度情報を取得した際の時刻を遠隔操作記憶部２１に記憶する。操作端末９は、遠隔操作記憶部２１に記憶された熱画像及び時刻情報を表示してもよい。
【００６３】
従って、実施の形態３に係る空気調和機システムによれば、実施の形態１及び実施の形態２の空気調和機システムの効果に加えて、１枚の熱画像の作成に長時間を要する場合にもユーザーに的確に熱画像情報の作成時期を伝えることができる。
【００６４】
実施の形態４．
以上の実施の形態３までは、取得した温度情報を熱画像として表示する方法について説明した。しかしながら、高解像度の熱画像では部屋の状況及び人の輪郭が細かく表示されることがありプライバシーとして配慮が必要なことがある。実施の形態４に係る空気調和機システムは、温度情報の取得の要否及び取得可能状況にあるかをユーザーが判別できるものである。
【００６５】
図１３は、実施の形態４に係る空気調和機システムの動作を示すフローチャートである。実施の形態１と共通する箇所については同一の符号を付して説明を省略し、実施の形態１との相違点を中心に説明する。
【００６６】
まず、空調機室内制御部１４は、熱画像の送信可否を確認する（Ｓ８００）。この熱画像の送信可否は、例えばリモートコントローラ５にあらかじめ熱画像を取得して遠隔操作集中管理装置８に送信を行うのか設定する機能を追加しておく。
【００６７】
リモートコントローラ５は、熱画像生成部１４−２により生成された熱画像を遠隔操作集中管理装置８に送信可能か否かを示す熱画像送信可否情報を空気調和機１に送信する。空気調和機１の空調機記憶部１５は、リモートコントローラ５からの熱画像送信可否情報を記憶する。空調機室内制御部１４は、空調機記憶部１５に記憶された熱画像送信可否情報に基づいて、熱画像の送信可否を判断する。
【００６８】
ステップＳ８００において、熱画像の送信が可能である場合（Ｓ８００のＹＥＳ）、空調機室内制御部１４は、空気調和機１の表示部４に熱画像が送信可能状態となっていることを表示するランプを点灯する（Ｓ８０１）。これによりユーザーは熱画像が送信可能状態となっていることを把握できる。
【００６９】
ステップＳ８００において、熱画像の送信が不可能である場合（Ｓ８００のＮＯ）、表示部４の熱画像が送信可能状態となっていることを表示するランプを消灯する（Ｓ８０２）。
【００７０】
ステップＳ８０１〜Ｓ８０２の処理の後、ステップＳ１の処理に移る。ステップＳ１〜Ｓ５の処理は、実施の形態１と同様である。ステップＳ５において、熱画像が作成された後、空調機室内制御部１４は熱画像の送信可否を判断する（Ｓ８０３）。
ステップＳ８０３における熱画像の送信可否の判断は、ステップＳ８００と同様に、空調機記憶部１５に記憶された熱画像送信可否情報に基づく。
【００７１】
熱画像送信可否情報が熱画像を送信しても良い設定となっている場合（Ｓ８０３のＹＥＳ）、空調機室内制御部１４は、熱画像を、アダプタ３を介して遠隔操作集中管理装置８に送信する（Ｓ６）。
【００７２】
熱画像を送信しても良い設定となっていない場合（Ｓ８０３のＮＯ）、空調機室内制御部１４は、熱画像を遠隔操作集中管理装置８には送信せずに最初のステップＳ８００に戻り次の温度情報の取得を行う。
【００７３】
実施の形態４では熱画像の送信可否を空気調和機１に対してリモートコントローラ５で設定したが、操作端末９で設定し遠隔操作集中管理装置８を介して空気調和機１に熱画像送信可否情報を送信して設定してもよい。
【００７４】
従って、実施の形態４に係る空気調和機システムによれば、実施の形態１の空気調和機システムの効果に加えて、熱画像の表示可否の選択及び熱画像の送信可能状態の把握をユーザー自身で行うことができるためプライバシーへの配慮を行うことができる。
【００７５】
実施の形態５．
以上、実施の形態４までは、取得した温度情報を熱画像として表示する方法について説明した。実施の形態５の空調機システムは、取得した熱画像を操作端末９でよりわかりやすくユーザーに表示する方法について説明する。
【００７６】
熱画像は温度の情報を色またはその濃淡で表示するため、その対象物と周りと温度の差が小さいと対象物としての把握が難しくなる。実施の形態５に係る空調機システムは、このような場合にもユーザーが的確に対象物を判別できる。
【００７７】
図１４は、実施の形態５に係る空気調和機システムの操作端末９の動作を示すフローチャートである。実施の形態１と共通する箇所については同一の符号を付して説明を省略し、実施の形態１との相違点を中心に説明する。
【００７８】
操作端末９は、熱画像の取得操作があった場合、インターネット網１０を介して、遠隔操作記憶部２１に記憶されている熱画像を取得する（Ｓ１００）。なお、遠隔操作記憶部２１に、複数の熱画像が記憶されている場合、操作端末９は、遠隔操作記憶部２１に記憶された複数の熱画像から選択して取得することも可能である。
【００７９】
次に、可視画像とステップＳ１００で取得した熱画像とを重ね合わせる処理を行う（Ｓ１０２）。可視画像は操作端末９にあらかじめ保存してある熱画像を取得した部屋の可視画像つまりカメラで撮影した画像等を指す。可視画像は熱画像取得までにあらかじめ保存しておくのでは無く、例えば操作端末９により熱画像を表示するアプリケーションで熱画像を取得した後に、カメラで撮影しても良い。また画像の重ね合わせは、熱画像と可視画像の一方を透過表示させ重ね合わせる等の方法がある。また、熱画像と、操作端末９に保存されている熱画像とは異なる別の画像とを重ね合わせても良い。
【００８０】
最後に、ステップＳ１０３で重ね合わせた画像を表示する（Ｓ１０３）。図１５は、実施の形態５に係る空気調和機システムの操作端末９に表示される画像を示す図である。図１５は、可視画像に対して、熱画像を透過処理して重ねた場合の画像を示す。図１５に示すように、可視画像と組み合わせることにより、図１１と比較して、熱画像単体よりも対象物の把握が容易になり、対象物の把握が容易になる。
【００８１】
また可視画像の取得の仕方についてはフローチャートの中での説明は省いたが、熱画像と可視画像の位置関係はできるだけ可視画像取得時に合わせて撮影できることが望ましい。空気調和機１の赤外線センサ２の近傍に操作端末を配置する位置を記載したり、操作端末を固定できる構造体を設けたりすることで、赤外線センサ２で取得する熱画像と、操作端末９で取得する可視画像の画角を容易に合わせることができる。
【００８２】
実施の形態５に係る空気調和機システムによれば、実施の形態１の空気調和機システムの効果に加えて、可視画像と熱画像を重ね合わせて表示することで温度差が少ない熱画像でも対象物を正しく判別することが可能となる。
【００８３】
実施の形態６．
以上実施の形態５までは、複数個所の温度情報を組み合わせて１枚の熱画像を作成して操作端末に表示していたが、広角な範囲での熱画像の表示が可能な一方、画像作成までに時間を要してしまう。
【００８４】
実施の形態６では、赤外線センサ２を固定し、狭い範囲を短時間で表示の更新が可能な熱画像と、赤外線センサを可動させ、広い範囲を取得までに時間がかかる熱画像を選択することが可能な空気調和機システムについて説明する。
【００８５】
図１６は、実施の形態６に係る空気調和機システムの動作を示すフローチャートである。実施の形態１と共通する箇所については同一の符号を付して説明を省略し、実施の形態１との相違点を中心に説明する。
【００８６】
まず、熱画像の取得モードを決定する。この取得モードは、部屋７内の固定位置での熱画像又は部屋７全体の熱画像を生成するかを示す。熱画像の取得モードは、例えばリモートコントローラ５にあらかじめ設定する機能を追加しておき、空気調和機１に送信して空調機記憶部１５に記憶する方法及び操作端末９で設定し遠隔操作集中管理装置８を介して空気調和機１に情報を送信して設定する方法がある。
【００８７】
空調機室内制御部１４は、空調機記憶部１５に記憶された取得モードに基づいて、部屋７内の固定位置での熱画像又は部屋７全体の熱画像を生成するかを判断する（Ｓ９００）。
【００８８】
空調機室内制御部１４は、ステップＳ９００で、熱画像の取得モードに部屋７全体の熱画像を生成することが選択されている場合（Ｓ９００のＮＯ）、実施の形態１で説明したステップＳ１〜Ｓ６の動作が行なわれる。
【００８９】
ステップＳ９００で熱画像の取得モードに固定位置での熱画像を生成することが選択されている場合（Ｓ９００のＹＥＳ）、空調機室内制御部１４は、赤外線センサ２を、温度情報を取得させたい固定位置へ駆動する（Ｓ９０１）。
【００９０】
図１７は、実施の形態６に係る空気調和機システムの赤外線センサ２の固定位置での配光を説明する図である。図１７は、ソファーが設置されている場所に、赤外線センサ２を固定して温度情報を取得する場合を示している。なお、ユーザー自身でリモートコントローラ５などを操作して赤外線センサ２の配光を調整しても良い。
【００９１】
次に、空調機室内制御部１４は、赤外線センサ２から温度情報を取得する（Ｓ９０２）。空調機室内制御部１４は、取得した温度情報を空調機記憶部１５に記憶する。次に、空調機室内制御部１４は遠隔操作記憶部２１に記憶された固定位置での温度情報に基づいて熱画像を作成する（Ｓ９０３）。
【００９２】
次に、空調機室内制御部１４は、ステップＳ９０３で作成された熱画像をインターネット網１０を介して遠隔操作集中管理装置８に送信する（Ｓ９０４）。以降は、ステップＳ９０２での赤外線センサ２での温度の取得、ステップＳ９０３での熱画像の作成及びステップＳ９０４での熱画像の送信を繰り返して行う。
【００９３】
従って、実施の形態６に係る空気調和機システムによれば、実施の形態１の空気調和機システムの効果に加えて、狭い範囲で短時間に更新される画像をユーザーが得ることが可能になる。
【００９４】
実施の形態は、例として提示したものであり、実施の形態の範囲を限定することは意図していない。実施の形態は、その他の様々な形態で実施されることが可能であり、実施の形態の要旨を逸脱しない範囲で、種々の省略、置き換え、変更を行なうことができる。これら実施の形態及びその変形は、実施の形態の範囲及び要旨に含まれる。
【符号の説明】
【００９５】
１  空気調和機、２  赤外線センサ、２ａ  駆動アクチュエータ、３  アダプタ、４  表示部、５  リモートコントローラ、６  ルータ、７  部屋、８  遠隔操作集中管理装置、９  操作端末、１０  インターネット網、１１  外部ネットワーク、１２  制御部、１３  入力部、１４  空調機室内制御部、１４−１  駆動制御部、１４−２  熱画像生成部、１５  空調機記憶部、１６  出力部、１７  遠隔情報入出力部、１９  空調機遠隔情報入出力部、２０  遠隔情報制御部、２１  遠隔操作記憶部、２２  操作端末情報入出力部、２３  制御部、２４  時刻判定部、２５  時刻判定部、２６  配光範囲。
【図１】
2021038663.tif 000003
【図２】
2021038663.tif 000004
【図３】
2021038663.tif 000005
【図４】
2021038663.tif 000006
【図５】
2021038663.tif 000007
【図６】
2021038663.tif 000008
【図７】
2021038663.tif 000009
【図８】
2021038663.tif 000010
【図９】
2021038663.tif 000011
【図１０】
2021038663.tif 000012
【図１１】
2021038663.tif 000013
【図１２】
2021038663.tif 000014
【図１３】
2021038663.tif 000015
【図１４】
2021038663.tif 000016
【図１５】
2021038663.tif 000017
【図１６】
2021038663.tif 000018
【図１７】
2021038663.tif 000019
【手続補正書】
【提出日】令和3年8月16日(2021.8.16)
【手続補正１】
【補正対象書類名】明細書
【補正対象項目名】０００６
【補正方法】変更
【補正の内容】
【０００６】
本発明に係る空気調和システムによれば、部屋内の一部の箇所の温度情報を取得可能な赤外線センサと、前記部屋の複数箇所の温度情報を取得するように前記赤外線センサを制御する駆動制御部とを有する空気調和機と、前記空気調和機とネットワークを介して接続された遠隔操作集中管理装置とを具備し、前記空気調和機は、前記駆動制御部により制御された赤外線センサにより取得された前記部屋の複数箇所の温度情報を記憶する記憶部と、前記記憶部に記憶された前記部屋の複数箇所の温度情報に基づいて、前記部屋の熱画像を生成する熱画像生成部と、前記熱画像生成部により生成された熱画像が送信可能である場合、前記熱画像が送信可能状態であることを表示する表示部とを有する。
【手続補正２】
【補正対象書類名】特許請求の範囲
【補正対象項目名】全文
【補正方法】変更
【補正の内容】
【特許請求の範囲】
【請求項１】
部屋内の一部の箇所の温度情報を取得可能な赤外線センサと、前記部屋の複数箇所の温度情報を取得するように前記赤外線センサを制御する駆動制御部とを有する空気調和機と、
前記空気調和機とネットワークを介して接続された遠隔操作集中管理装置と
を具備し、
前記空気調和機は、
前記駆動制御部により制御された赤外線センサにより取得された前記部屋の複数箇所の温度情報を記憶する記憶部と、
前記記憶部に記憶された前記部屋の複数箇所の温度情報に基づいて、前記部屋の熱画像を生成する熱画像生成部と、
前記熱画像生成部により生成された熱画像が送信可能である場合、前記熱画像が送信可能状態であることを表示する表示部と
を有する、
空気調和機システム。
【請求項２】
前記空気調和機は、前記熱画像生成部により生成された熱画像を前記遠隔操作集中管理装置にネットワークを介して送信する送信部を有する、
請求項１に記載の空気調和機システム。
【請求項３】
前記記憶部が、前記熱画像生成部により生成した熱画像の熱画像生成時の時刻情報を記憶し、
前記遠隔操作集中管理装置の送信部は、前記記憶部に記憶された熱画像生成時の時刻情報又は前記部屋の複数箇所の温度情報のうち、最後に取得された時刻情報を前記熱画像とともに送信する、
請求項１に記載の空気調和機システム。
【請求項４】
前記空気調和機は、
前記記憶部が、前記熱画像生成部により生成された熱画像を前記遠隔操作集中管理装置に送信可能か否かを示す熱画像送信可否情報を記憶し、
前記空気調和機の前記送信部は、前記記憶部に記憶された熱画像送信可否情報が熱画像を前記遠隔操作集中管理装置に送信可能であることを示している場合にのみ、前記熱画像生成部により生成された熱画像を前記遠隔操作集中管理装置に送信する、
請求項２に記載の空気調和機システム。
【請求項５】
前記空気調和機を操作するための操作端末をさらに具備し、
前記操作端末は、前記遠隔操作集中管理装置の送信部から送信された熱画像と、前記部屋の可視画像又は前記熱画像と異なる画像とを重ね合わせて表示する、
請求項１〜４のいずれか１項に記載の空気調和機システム。
【請求項６】
前記空気調和機は、前記可視画像を前記操作端末で取得するときに、前記操作端末の位置を示す表示又は前記操作端末を固定する構造物をさらに具備する、
請求項５に記載の空気調和機システム。
【請求項７】
前記記憶部は、前記部屋内の固定位置の熱画像又は前記部屋全体の熱画像を生成するかを示す取得モードを記憶し、
前記熱画像生成部は、
前記記憶部に記憶されたモードが前記部屋内の固定位置の熱画像を生成することを示している場合、前記記憶部に記憶された前記部屋内の固定位置での温度情報に基づいて、前記部屋内の固定位置での熱画像を生成し、前記記憶部に記憶されたモードが前記部屋全体の熱画像を生成することを示している場合、前記記憶部に記憶された前記部屋全体の温度情報に基づいて、前記部屋全体の熱画像を生成する、
請求項１に記載の空気調和機システム。
【国際調査報告】
2021038663.tif 000020
2021038663.tif 000021
2021038663.tif 000022
2021038663.tif 000023